(57)【要約】【課題】赤外線リモコンのセキュリティを向上させて、セキュリティを強固にしなければならない例えば、錠前などにも使用できるようにする。【解決手段】リモコン送信器の開錠スイッチ１ａを押すと、予め設定手段８、１４ａで開錠に設定した数のパルスを送信パルス発生手段３が発生し、発生したパルスを発光手段４で送信する。一方、受信装置は、受光手段が送信パルスを受信すると、パルスを所定時間計数して、計数したパルス数を設定された値と比較する。そして、設定値と一致した場合にのみ、開錠あるいは施錠動作を行う。このように、所定時間内の送信パルス数で識別するので、例えば、所定時間内の設定パルス数を自由に設定することができる。そのため、キーとなるパルスの設定数を多数準備すれば、強固なセキュリティーを構築して錠前などに使用することができる。【選択図】　図１
2004100381.tif 000002
【特許請求の範囲】
【請求項１】
送信側で所定幅の送信確認パルスを送信し、そののち、識別あるいはコマンド情報として予め設定された数のパルスを所定時間内に送信し、一方、受信側で送信確認パルスを受信すると、受信パルスの計数を開始して所定時間パルスを計数し、その計数したパルス数によって、識別あるいはコマンド情報をデコードするようにした赤外線リモコンの信号方式。
【請求項２】
送信スイッチと、送信スイッチの作動によって所定幅のパルスを生成する送信確認パルス発生手段と、その送信確認パルス発生手段が送信確認パルス発生後に、予め設定手段で設定された数のシリアルパルスを発生する送信パルス発生手段と、前記送信確認パルス発生手段と送信パルス発生手段からのシリアルパルス出力を赤外光の点滅に変換する発光手段とからなるリモコン送信器と、
赤外線の受光手段と、受光手段が発光手段からの赤外線を受光して、前記リモコンの送信確認パルスよりも幅の狭いパルスを発生する受信準備信号発生手段と、受信準備信号発生手段の幅の狭いパルスによって計時を開始するタイマ手段と、前記幅の狭い受信準備信号発生手段のパルスによって、受光手段が受光したパルスの計数を開始する計数手段と、その計数手段の計数値と予め設定手段で設定した値とが前記タイマ手段が予め設定された時間でタイムアップした際に、一致するかを比較して比較した結果を出力する比較手段とからなるリモコン受信器とで構成されるリモコン送受信装置。
【請求項３】
上記リモコン送信器の送信スイッチに代えて、開錠スイッチと施錠スイッチとを設け、前記開錠スイッチを作動させると、予め設定手段で開錠に設定した数のパルスを送信パルス発生手段が発生し、かつ、施錠スイッチを作動させると、予め設定手段で施錠に設定した数のパルスをリモコン送信器の送信パルス発生手段が発生するようにし、
一方、リモコン受信器の前記設定手段を開錠と施錠のそれぞれのパルス数を設定できるようにするとともに、前記開錠に設定されたパルス数と施錠に設定されたパルス数とを比較手段が計数パルスとタイマ手段がタイムアップした際に比較して、開錠に設定したパルス数と一致した場合は開錠信号を出力し、施錠に設定したパルス数と一致した場合は施錠信号を出力し、両設定数と一致しない場合には出力しないようにしてリモコン錠の開錠及び施錠を行えるようにした請求項２に記載のリモコン送受信装置。
【請求項４】
上記リモコン送信器の送信スイッチに代えて、複数の機器を選択するためのセレクトスイッチを設け、セレクトスイッチの一つを作動すると、予め設定手段で作動したセレクトスイッチに設定した数のパルスを送信パルス発生手段が発生し、
一方、受信手段は、設定手段が複数のセレクトスイッチに対応した複数のパルス数を設定できるようにするとともに、各セレクトスイッチに対応したパルス数と計数パルスとをタイマ手段がタイムアップした際に、比較手段が比較して一致したセレクトスイッチに応じた信号を出力させて機器のセレクトを行えるようにした請求項２に記載のリモコン送受信装置。
【請求項５】
上記リモコン送信器に、受光手段がリモコン送信器の発光手段からの信号の受信で、受光手段以外の回路の電源供給のオン・オフを管理する電源管理手段を備えた請求項２乃至４のいずれかに記載のリモコン送受信装置。
【発明の詳細な説明】
【０００１】
【発明の属する技術分野】
この発明は、識別情報やコマンド情報を送信パルスの数にエンコードして伝送することにより、セキュリティを高めた赤外線リモコンの信号方式とその信号方式を用いたリモコン送受信装置に関するものである。
【０００２】
【従来の技術】
赤外線を用いたリモコン装置は、超音波や無線を用いたもののように音や電波による誤動作が無く、送信回路も簡単である。
【０００３】
そのため、テレビ、ＶＴＲ、エアコン、ＡＶ機器．．．など、身近で広く使われている。
【０００４】
この赤外線リモコン装置の送信信号の代表的なデータフォーマット（日本電気フォーマット）は、図９（ａ）に示すようなものである。
【０００５】
すなわち、送信コードの先頭を示すリーダ部、メーカーや機種を示すカスタムコード、リモコンのボタンごとに割り当てられるデータコードと、次の送信データのリーダ部までを示すトレーラとからなっており、カスタムコードとデータコードは８ビット構成となっている。
【０００６】
また、各信号パルスは、図９（ｂ）に示すように、３３ＫＨｚ〜４０ＫＨｚの副搬送波で振幅変調したのち、ＰＰＭ（Ｐｕｌｓｅ　Ｐｏｓｉｔｉｏｎ　Ｍｏｄｕｒａｔｉｏｎ）方式で変調した信号となっており、信号の「Ｌ」の部分の長さで「１」と「０」とを弁別する。
【０００７】
【発明が解決しようとする課題】
しかしながら、上記の方法では、送信信号のビット幅の時間とユーザ側が使用するカスタムコード及びデータコードのビット数とが決まっており、データの組み合わせの限界数が少なすぎる。そのため、この方式をセキュリティを要する機器のコントロールやセキュリティを強固にしなければならないドアや錠前の開閉．．．などに使用するにはリスクが大きすぎるという問題がある。
【０００８】
そこで、この発明の課題は、赤外線リモコンのセキュリティを向上させて、セキュリティを要する機器のコントロールやセキュリティを強固にしなければならないドアや錠前の開閉．．．などに使用できるようにすることである。
【０００９】
【課題を解決するための手段】
上記の課題を解決するため、この発明では、送信側で所定幅の送信確認パルスを送信し、そののち、識別あるいはコマンド情報として予め設定された数のパルスを所定時間内に送信し、一方、受信側で送信確認パルスを受信すると、受信パルスの計数を開始して所定時間パルスを計数し、その計数したパルス数によって、識別あるいはコマンド情報をデコードするようにした方法を採用したのである。
【００１０】
このような方法を採用することにより、送信側は、送信を開始することを知らせる送信確認パルスを送信したのち、予め送信側と受信側で決めた識別あるいはコマンド情報に対応する数のパルスを、予め送信側と受信側で設定した所定時間内に送信する。受信側では、送信確認パルスを受信すると、受信パルスの計数を開始する。そして、所定時間内に計数したパルス数が決められたパルス数と一致すれば、識別あるいはコマンド情報としてデコードする。このようにすることにより、所定時間内と所定時間内に送信しなければならないパルス数の組み合わせは従来のものより遙に多くできるので、セキュリティの向上が図れる。
【００１１】
また、このとき、送信スイッチと、送信スイッチの作動によって所定幅のパルスを生成する送信確認パルス発生手段と、その送信確認パルス発生手段が送信確認パルス発生後に、予め設定手段で設定された数のシリアルパルスを発生する送信パルス発生手段と、前記送信確認パルス発生手段と送信パルス発生手段からのシリアルパルス出力を赤外光の点滅に変換する発光手段とからなるリモコン送信器と、赤外線の受光手段と、受光手段が発光手段からの赤外線を受光して、前記リモコンの送信確認パルスよりも幅の狭いパルスを発生する受信準備信号発生手段と、受信準備信号発生手段の幅の狭いパルスによって計時を開始するタイマ手段と、前記幅の狭い受信準備信号発生手段のパルスによって、受光手段が受光したパルスの計数を開始する計数手段と、その計数手段の計数値と予め設定手段で設定した値とが前記タイマ手段が予め設定された時間でタイムアップした際に、一致するかを比較して比較した結果を出力する比較手段とからなるリモコン受信器とで構成することができる。
【００１２】
このような構成を採用することにより、リモコン送信器の送信スイッチを作動すると、送信確認パルス発生手段が所定幅のパルスを生成し、その生成された所定幅のパルスが発光手段によって赤外光の点滅に変換されて送信される。また、このように送信確認パルス発生手段が送信確認パルスを発生すると、パルス発生手段は予め設定手段で設定された数のシリアルパルスを所定時間内に発生し、パルス発生手段で発生したパルスは、発光手段によって赤外光の点滅に変換して送信される。送信された赤外光はリモコン受信器の受光手段によって受光されると、受信準備信号発生手段が前記リモコンの送信確認パルスよりも幅の狭いパルスを発生し、後述の計数手段などをリセットして作動可能にする。また、パルス（先の幅の狭い）と同時またはパルスの終了後、タイマ手段は予め設定された時間の計時を開始し、リセットされた計数手段も受光したパルスの計数を開始する。そして、その計数手段の計数値と予め設定手段で設定した値とを、タイマ手段がタイムアップした際に比較手段が比較して、例えば両者が一致すると一致信号を出力し、一致しない場合は不一致信号を出力するようにして、この信号を用いれば、リモコン操作を行うようにできる。
【００１３】
このとき、上記リモコン送信器の送信スイッチに代えて、開錠スイッチと施錠スイッチとを設け、前記開錠スイッチを作動させると、予め設定手段で開錠に設定した数のパルスを送信パルス発生手段が発生し、かつ、施錠スイッチを作動させると、予め設定手段で施錠に設定した数のパルスをリモコン送信器の送信パルス発生手段が発生するようにし、一方、リモコン受信器の前記設定手段を開錠と施錠のそれぞれのパルス数を設定できるようにするとともに、前記開錠に設定されたパルス数と施錠に設定されたパルス数とを比較手段が計数パルスとタイマ手段がタイムアップした際に比較して、開錠に設定したパルス数と一致した場合は開錠信号を出力し、施錠に設定したパルス数と一致した場合は施錠信号を出力し、両設定数と一致しない場合には出力しないようにしてリモコン錠の開錠及び施錠を行えるようにした構成を採用することができる。
【００１４】
このような構成を採用することにより、リモコン送信器の開錠スイッチを作動すれば、受信手段が開錠信号を出力し、リモコン送信器の施錠スイッチを作動すると、施錠信号を出力することができるので、この信号を用いて例えば、錠のデッドボルトを動かすようにすれば、電気錠の開閉をすることができる。このようにリモコン錠として用いれば、パルス数の組み合わせは従来のものより遙に多くできるし、その組み合わせも設定手段にスイッチなどを用いて簡単に変えることができるので、セキュリティを強固なものとすることができる。
【００１５】
また、このとき、上記リモコン送信器の送信スイッチに代えて、複数の機器を選択するためのセレクトスイッチを設け、セレクトスイッチの一つを作動すると、予め設定手段で作動したセレクトスイッチに設定した数のパルスを送信パルス発生手段が発生し、一方、受信手段は、設定手段が複数のセレクトスイッチに対応した複数のパルス数を設定できるようにするとともに、各セレクトスイッチに対応したパルス数と計数パルスとをタイマ手段がタイムアップした際に、比較手段が比較して一致したセレクトスイッチに応じた信号を出力させて機器のセレクトを行えるようにした構成を採用することもできる。
【００１６】
このような構成を採用することにより、複数のパルス数を識別するようにできるので、セキュリティーの高いセレクターとして使用することができる。
【００１７】
さらに、このとき、上記リモコン送信器に、受光手段がリモコン送信器の発光手段からの信号の受信で、受光手段以外の回路の電源供給のオン・オフを管理する電源管理手段を備えた構成を採用することにより、省電力を図ることができるので、バッテリー駆動にも対応できる。
【００１８】
【発明の実施の形態】
以下、この発明の実施の形態を図面に基づいて説明する。
図１及び図２にこの発明に係る赤外線リモコンの信号方式をリモコン錠に用いたリモコン送受信回路を示す。
図１は赤外線リモコン送信器の回路で、図２は受信器の回路である。
【００１９】
図１の送信回路は、送信スイッチ１、送信確認パルス発生手段２、送信パルス発生手段３、発光手段４とからなっている。
送信スイッチ１は、開錠スイッチ１ａと施錠スイッチ１ｂとで構成されている。
この形態では、スイッチ１ａ、１ｂには、それぞれ２回路がリンクされたノンロック方式の押しボタンスイッチを用いており、図１のように、１回路を電源（バッテリー）Ｂと接続して、スイッチを押すと回路に電源Ｂが供給されるようになっている。
【００２０】
送信確認パルス発生手段２は、この形態では、コンデンサと抵抗とを直列に接続したタイマ回路（初期信号発生タイマ）を用いたもので、タイマ出力（リセット出力）を信号混合回路（ＯＲ回路）５を介して発光手段４のドライブトランジスタへ入力することにより、所定幅のパルス（図６のＴ１参照）を出力できるようにしてある。なお、ここでは、ＣＲによるタイマ回路を用いたが、これに限定されるものではなく、カウンタやシフトレジスタあるいはマイコンを用いたものでも構わない。
【００２１】
送信パルス発生手段３は、発振回路６、計数回路７、設定回路８と一致回路９とで構成されている。
【００２２】
発振回路６は、ロジックＩＣを用いたもので、電源Ｂが供給されるとフリーランするようになっている。また、発振回路６の出力は、ＯＲ回路５を介して発光手段４のドライブ用トランジスタに直接入力されると同時に、計数回路７にも入力してある。
【００２３】
計数回路７は、バイナリーカウンタを直列に接続したもので、カウンタの各バイナリー出力は、設定回路８のスイッチの一方の端子に接続されている。前記設定回路８のスイッチは、例えば、ディプスイッチなどを用いてもよく、このスイッチの他方の端子をプルアップして、一致回路を構成するＡＮＤ回路９ａ、９ｂの入力に接続してある。そのため、ＡＮＤ回路９ａ、９ｂの入力には、設定回路８の各スイッチをオフにすると、「Ｈ」レベルが入力するようになっている。
【００２４】
また、ＡＮＤ回路９ｂの出力は、ＡＮＤ回路９ａの入力の一つに接続されており、そのため、ＡＮＤ回路９ａの出力は、ＡＮＤ回路９ｂの論理積出力が「Ｈ」で、かつ、ＡＮＤ回路９ａの入力が全て「Ｈ」の場合に「Ｈ」となる。
【００２５】
すなわち、スイッチをオフにしたＡＮＤ回路９ａ、９ｂ入力は「Ｈ」となるので、オンにしたスイッチに接続されたカウンタ出力が全て「Ｈ」になるとＡＮＤ回路９ａ、９ｂの出力は「Ｈ」となる。そのため、各設定回路８のスイッチの設定によって、ＡＮＤ回路９ａが「Ｈ」出力となるカウント数を自由に決めることができる。また、ＡＮＤ回路９ａ出力は、開錠スイッチ１ａに接続されているため、その出力は開錠スイッチ１ａを介してＯＲ回路５に出力し、ＯＲ回路５の出力を「Ｈ」レベルに保つ。よって、ＯＲ回路５が「Ｈ」レベルになるまでの間に設定された数のパルスを発光手段４へ出力できるようになっている。
【００２６】
また、このとき、発光手段４は、開錠スイッチ１ａを押し続けると点灯状態を保ち、放すとＯＲ回路５への出力が遮断され、同時に回路への電源Ｂの供給もストップする（省電力）。
【００２７】
一方、施錠スイッチ１ｂを押した場合には、施錠スイッチ１ｂは、この形態の場合、計数回路７のバイナリーカウンタの最上位のキャリー出力とＯＲ回路５とを接続する構成となっているので、キャリー出力が「Ｈ」レベルになるまでの間のパルスを発光手段４から出力することができるようになっている。そして、この場合も同様に、施錠スイッチ１ｂを押し続けると、発光手段４は点灯状態を保ち、放すとＯＲ回路５への出力が遮断され、同時に回路への電源供給もストップする。
【００２８】
リモコン受信器は、図２に示すように、赤外線受光手段１０、受信準備信号発生手段１１、タイマ手段１２、計数手段１３、比較手段１４とで構成されている。
【００２９】
これらの回路（赤外線受光手段１０を除く）１１〜１４は、赤外線受光手段１０と接続されたワンショットのリトリガブルのタイマＩＣ１５と、そのタイマＩＣ１５の出力でもって電源Ｂと前記回路１１〜１４とを接続するリレー回路１６とで構成される電源管理手段１７と接続されており、電源管理手段１７は受光手段１０がリモコン送信器からの信号を受信すると作動して、所定時間の間電源Ｂを供給するようになっている。このようにして省電力を図り、バッテリー駆動できるようにして、設置場所を選ばないようにしてある。
【００３０】
赤外線受光手段１０は、ここでは、赤外線フォトトランジスタを用いたものを示したが、これに限定されるものではなく、例えば、ピン・フォトダイオードでも構わない。
【００３１】
受信準備信号発生手段１１は、この形態の場合、時定数回路でもって前記リモコン送信器の送信確認パルスよりも幅の狭いリセットパルスを発生するようにしたタイマＩＣで構成されている。
【００３２】
タイマ手段１２は、時定数回路で設定された幅のパルスを出力するタイマＩＣで構成し、タイマＩＣは、電源が供給されると計時を開始して「Ｈ」出力となり、タイムアップすると「Ｌ」出力となる。
【００３３】
計数手段１３は、この形態の場合、リセット（クリア）入力ＲＳ、イネーブル入力ＥＮ、クロック入力ＣＬを備えたバイナリーカウンタ（リモコン送信器と同じ１６ｂｉｔ）を用いている。そして、バイナリーカウンタのリセットＲＳ入力と受信準備信号発生手段１１の出力とを接続し、受信準備信号発生手段１１からのリセットパルスで計数値をクリアできるようになっている。また、計数手段１３のイネーブル入力ＥＮとタイマ手段１２の出力とを接続し、タイマ手段１２の出力が「Ｈ」の場合にのみ（クリア入力ＣＬが優先なので、クリア入力ＣＬが「Ｌ」となったのち）計数ができるようになっている。さらに、計数手段１３のクロック入力ＣＬと、受光手段１０とをシュミット回路１８を介して接続することにより、受信パルスをカウントするようになっている。
【００３４】
比較手段１４は、設定スイッチ１４ａとＡＮＤ回路１４ｂとで構成したもので、プルアップしたＡＮＤ回路１４ｂの入力を設定スイッチ１４ａを介して計数手段１３のカウント出力と接続することにより、設定スイッチ１４ａをオフにしたＡＮＤ回路１４ｂの入力は「Ｈ」となる。また、オンにした設定スイッチ１４ａに接続されたカウンタ出力が全て「Ｈ」になるとＡＮＤ回路１４ｂの出力は「Ｈ」となるので、設定スイッチ１４ａで設定されたカウント数に達すると、ＡＮＤ回路１４ｂの出力は「Ｈ」となり、それ以外は「Ｌ」となる。これにより、設定値との比較ができる（リモコン送信器と同様である）。この比較手段１４のＡＮＤ回路１４ｂの出力は、ＯＲ回路１９を介してスリーステートバッファ２０ａに入力するようになっている。
【００３５】
また、この形態では、リモコン送信器で設定した施錠パルスと対応させるために、計数手段１３のカウンタの最上位出力をＯＲ回路１９に直接入力すると同時に、最上位出力がスリーステートバッファ２０ｂへ直接入力してある。
【００３６】
このスリーステートバッファ２０ａと２０ｂは、スリーステート入力をタイマ手段１２のＩＣ出力に接続してあり、ＩＣ出力が「Ｈ」を出力している期間、すなわち、計数と比較の期間は、スリーステートバッファ２０ａと２０ｂの出力をハイインピーダンスに保持するようになっている。そして、タイマ手段１２の出力が所定の計数期間を過ぎて「Ｌ」になると、スリーステート入力が「Ｌ」になって、スリーステートバッファ２０ａと２０ｂが比較した結果の出力あるいはカウントした最上位の出力を行うようになっている。
【００３７】
このように、出力タイミングを取ることにより、計数の途中で判別された出力が出ないようにして誤動作を防ぐようにしてある（ゲーティング）。
【００３８】
このスリーステートバッファ２０ａと２０ｂの出力は、切り替えスイッチ２２ａとマイクロスイッチ２２ｂを直列に接続した切り替え回路２２を介して開錠・施錠モータＭのドライブＩＣ２３に入力するようになっている。前記切り替え回路２２の切り替えスイッチ２２ａは、ドアの形状や施錠と開錠の向きに合わせてモータＭの回転方向を設定するのに使用し、マイクロスイッチ２２ｂはモータＭが施錠あるいは開錠位置に到達するとオフになってドライブＩＣ２３への入力を遮断して停止させる。
【００３９】
また、ドライブＩＣ２３は、例えば、この形態では図２のような、エミッタフォロワブリッジ接続のものを使用しているが、この他にも図示はしていないがコレクタフォロワブリッジ接続などの単一電源で可逆制御のできるものを使用するのが好ましい（バッテリー駆動に対応指せるため）。
【００４０】
この形態は上記のように構成されており、図３に示すように、このリモコン受信回路を収容した受信装置Ｒはドアに取り付け、ドアのデッドボルトｄをモータＭで駆動できるようにする。また、ドアに受光窓２４を設けて受信回路の受光手段１０を取り付ける。
【００４１】
一方、リモコン送信回路は、図３のように、ハンディタイプのケースに収めてコントローラＣとして持ち歩けるようにする。いずれも簡単な回路なので、容易に構成できる。
【００４２】
このようにリモコン錠に用いたリモコン送受信装置は、送受信回路の設定手段８、１４ａによって、予め「キー」となるパルスの数を設定しておく。この設定は、スイッチでできるので簡単に誰でもできるし、何時でも何回でも気軽に行うことができる。
【００４３】
そして、使用する場合は、ドアの受光窓２４の前にコントローラＣ（リモコン送信器）の発光手段４を近づけて例えば、施錠されたドアを開けたい場合は、開錠スイッチ１ａを押す。すると、開錠スイッチ１ａがオンとなって電源が供給されるため、図４に示す信号の流れのように、送信確認パルス発生手段２のタイマ回路（図では初期信号発生回路）が作動して、図６のように所定幅の送信確認パルスＴ１を出力する。このパルスＴ１は、ＯＲ回路（図５では信号混合回路）５を介して発光手段４に入力されているので、そのまま発光手段４が出力する。また、この送信確認パルスＴ１は、送信パルス発生手段３の計数回路７に入力し、計数回路７をリセットする。そのため、計数回路７は、送信確認パルスＴ１が終了すると、発振回路６から出力されるパルスをカウントし、このとき、パルスのカウントによってカウントアップされる計数回路７の出力は、ＡＮＤ回路９ａ、９ｂを用いた一致回路９によって設定スイッチで設定された値と比較される。そして、設定値と一致しない場合はカウントを続け、一致するとＡＮＤ回路出力９ａは「Ｈ」となり、開錠スイッチ１ａを介してＯＲ回路５の出力は「Ｈ」となって発光手段４は点灯状態（開錠スイッチ１ａを押し続けると点灯状態となり、放せば電源Ｂが遮断されて回路はオフとなる）となる。この間、発振回路６が発振するパルスはＯＲ回路５に出力されており、ＯＲ回路５を介して発光手段４を駆動して所定の数のパルス信号を送信する事ができる。その様子を図６に示す。
【００４４】
一方、受信装置Ｒのリモコン受信器では、受光手段１０が信号を受信すると、図５に示すように、受信した信号をトリガ信号として電源管理手段１７のタイマＩＣ１５が作動して回路に電源Ｂを供給する。電源Ｂが供給されると、受信準備信号発生手段１１のタイマＩＣが送信確認信号Ｔ１より幅の狭いパルスＴ２を発生する（図６参照）。このように、送信確認信号より幅の狭いパルスＴ２を発生して計数手段１３をリセットすることにより、この後に受信した信号パルスを受け付けられるようにする。同時に、タイマ手段１２のタイマＩＣが作動して所定幅のパルスＴ３を出力して、計数手段１３がパルスを受け付けられるようにするため、受光手段１０が受信して、増幅、波形整形（シュミット回路）されたパルスをカウントする。このカウント出力は、設定スイッチ１４ａの設定値と一致するか比較手段１４のＡＮＤ回路１４ｂによって比較されており、一致した場合はＡＮＤ回路１４ｂから「Ｈ」レベルが出力される。そして、この出力は、タイマ手段１２がタイムアップすると、そのパルスＴ４でスリーステートバッファ２０ａが切り替え回路２２を介してＡＮＤ回路１４ｂ出力をモータドライブＩＣ２３へ入力する。このとき、前記タイムアップの時点で、計数値が設定値と一致している場合は、「Ｈ」レベルが出力されるため、モータドライブＩＣ２３が作動してモータＭを駆動し、デッドボルトを動かして開錠することができる。一方、タイムアップ時点で、計数値が設定値と一致していない場合は、出力は「Ｌ」レベルとなるため、モータドライブＩＣ２３は作動せず施錠状態を維持する。その様子を図６に示す。
【００４５】
また、ドアを施錠したい場合は、先の開錠の場合と同様に、ドアの受光窓２４の前にコントローラＣ（リモコン送信器）の発光手段４を近づけて施錠スイッチ１ｂを押せば、施錠スイッチ１ｂがオンとなって、図７に示すように電源Ｂが供給され、送信確認パルス発生手段２から送信確認信号Ｔ１が出力される。この信号は、ＯＲ回路５を介して発光手段４に入力され出力される。また、この送信確認信号Ｔ１によって、計数回路７はリセットされる。そして、リセットされた計数回路７は、送信確認信号Ｔ１の終了から発振回路６のパルスをカウントし、カウントアップされた計数回路７の出力は、ＡＮＤ回路９ａを用いた一致回路９により設定値と比較され、比較された計数値が設定値と一致すると、ＡＮＤ回路９ａ出力は「Ｈ」となってＯＲ回路５の出力により、発光手段４は点灯状態（施錠ボタンを押し続けると点灯状態、放せば電力が遮断されて回路はオフとなる）となる。この間、発振回路６の発振パルスはＯＲ回路５に出力されており、ＯＲ回路５を介して発光手段４を駆動して所定の数のパルス信号が送信される。
【００４６】
一方、受信装置Ｒのリモコン受信器では、開錠の場合と同様に、受光手段１０が信号を受信すると、電源管理手段１７のタイマＩＣ１５が作動して回路に電源Ｂを供給し、受信準備信号発生手段１２のタイマＩＣが送信確認信号Ｔ１より幅の狭いパルスＴ２を発生する。そのため、タイマ手段１２のタイマＩＣが作動して所定幅のパルスＴ３を出力し、また、計数手段１３は受光手段１０が受信するパルスのカウントを開始する。そして、その計数手段１３の出力がカウントアップして最上位の出力が「Ｈ」レベルになり、その出力はタイマ手段１２がタイムアップすると、スリーステートバッファ２０ａ、２０ｂの出力が有効になって、切り替え回路２２を介してモータドライブＩＣ２３に入力されるため、モータドライブＩＣ２３がモータＭを作動して、デッドボルトｄを動かして施錠できる。一方、タイムアップ時点で、計数値が設定値と一致していない場合は、出力は「Ｌ」レベルとなるため、モータドライブＩＣ２３は作動せず開錠状態を維持する。
【００４７】
なお、このように、施錠の場合に比較手段１４を用いないのは、開錠の場合と違って、設定値と違う信号が入力した場合でも施錠しておけば、セキュリティー上問題が無いためであり、設定回路１４ａのコストも低減できるからである。
【００４８】
このように、このリモコン装置では、所定時間内の送信パルス数で識別することができるので、例えば、送信パルスの周波数を変えれば、パルスを計数する所定時間内の設定パルス数を自由に設定することができる。そのため、「キー」となるパルスの設定数を多数準備することができるので、「キー」を見つけ出すのは容易ではなく、強固なセキュリティを構築することができる。
【００４９】
また、このとき、信号の受信からモータの駆動までにＴ２〜Ｔ４の期間を必要とするようにしてあるので、この間に新しい信号は受け付けない。そのため、不正信号を連続発振してパルス数を一致させようとしても一回のトライにＴ２〜Ｔ４の期間が必要であり、そのような試みをしようとしても時間が掛かり過ぎるため、不正開錠や解析は難しい。
【００５０】
一方、このように、キーとなるパルスの設定数を多数準備することができるので、このキーを利用すれば、識別に用いることができる。
【００５１】
そのため、次に、第２実施形態として、このリモコン装置をセレクタとして利用する場合について述べる。
【００５２】
この場合、図８に示すように、例えば、設定スイッチ１４ａと比較用のＡＮＤ回路１４ｂを複数個設けて、計数手段１３のカウンタ出力に並列に接続すれば、設定手段１４ごとに異なる出力を出すことができる。
【００５３】
よって、この信号で、複数の個体をコントロールすることができるので、セレクタとして用いることができる。
【００５４】
なお、この形態では、リモコン送受信装置をディスクリート部品によって構成したものを示したが、これに限定されるものではなく、例えばマイコンなどを使用してソフト的に構成することもできる。
【００５５】
【発明の効果】
この発明は、以上のように構成したことにより、赤外線リモコンのセキュリティを向上させることができる。このように、セキュリティを向上させることができるので、セキュリティの要する機器のコントロール、ドアや錠前の開閉．．．などに使用できる。
【図面の簡単な説明】
【図１】第１実施形態の回路図
【図２】第１実施形態の回路図
【図３】第１実施形態の使用形態の説明図
【図４】第１実施形態の信号の流れ図
【図５】第１実施形態の信号の流れ図
【図６】第１実施形態のタイムチャート
【図７】第１実施形態のタイムチャート
【図８】第２実施形態の回路図
【図９】（ａ）、（ｂ）従来例の信号のフォーマット
【符号の説明】
１　送信スイッチ
１ａ　開錠スイッチ
１ｂ　施錠スイッチ
２　送信確認パルス発生手段
３　送信パルス発生手段
４　発光手段
７　計数回路
８　設定回路
９　一致回路
１０　赤外線受光手段
１１　受信準備信号発生手段
１２　タイマ手段
１３　計数手段
１４　比較手段
１７　電源管理手段
Ｂ　電源
Ｔ１　送信確認信号
Ｔ２　受信準備信号
【図１】
2004100381.tif 000003
【図２】
2004100381.tif 000004
【図３】
2004100381.tif 000005
【図４】
2004100381.tif 000006
【図５】
2004100381.tif 000007
【図６】
2004100381.tif 000008
【図７】
2004100381.tif 000009
【図８】
2004100381.tif 000010
【図９】
2004100381.tif 000011